(57)【要約】      （修正有）【課題】本発明は生体情報読取装置に関し、より詳細には読み取った生体画像を加工して表示し、表示した生体画像が盗み取られても悪用されることのない生体情報読取装置、生体情報読取方法および生体情報読取プログラムに関するものである。【解決手段】本発明は、生体情報を読み取る生体情報読取手段と、生体情報読取手段で読み取った生体情報を加工する生体情報加工手段、および生体情報加工手段で加工された生体情報を表示する生体情報表示手段とで構成する。【選択図】図１
2008046677.tif 000002
【特許請求の範囲】
【請求項１】
生体情報を読み取る生体情報読取手段と、
前記生体情報読取手段で読み取った生体情報を加工する生体情報加工手段と、
前記加工された生体情報を表示する生体情報表示手段と
を備えることを特徴とする生体情報読取装置。
【請求項２】
前記読み取られた生体情報は指紋画像である
ことを特徴とする請求項１項記載の生体情報読取装置。
【請求項３】
前記生体情報加工手段は、前記生体情報読取手段によって読み取られた指紋画像の指紋中心の位置に、該指紋画像の周辺部の一部の画像を上書きする
ことを特徴とする請求項２項記載の生体情報読取装置。
【請求項４】
前記生体情報加工手段は、前記生体情報読取手段によって読み取られた指紋画像の所定数の無作為の位置に、該指紋画像の該所定数の無作為の位置以外の位置の指紋画像を上書きする
ことを特徴とする請求項２項記載の生体情報読取装置。
【請求項５】
前記生体情報加工手段は、前記生体情報読取手段によって読み取られた指紋画像をニアレスト・ネイバー法により縮小し、
前記表示手段は前記縮小された指紋画像を表示する
ことを特徴とする請求項２記載の生体情報読取装置。
【請求項６】
生体情報を読み取る生体情報読取手順と、
前記生体情報読取手順で読み取った生体情報を加工する生体情報加工手順と、
前記加工された生体情報を表示する生体情報表示手順と
を備えることを特徴とする生体情報読取方法。
【請求項７】
生体情報読取装置のコンピュータに、
生体情報を読み取る生体情報読取手順と、
前記生体情報読取手順で読み取った生体情報を加工する生体情報加工手順と、
前記加工された生体情報を表示する生体情報表示手順と
を実行させるための生体情報読取プログラム。
【発明の詳細な説明】
【技術分野】
【０００１】
本発明は、指紋や虹彩、静脈などの身体的特徴に基づく生体認証装置等に用いられる生体情報読取装置に関し、より詳細には読み取った生体画像を加工して表示し、表示した生体画像が盗み取られても悪用されることのない生体情報読取装置に関するものである。
【背景技術】
【０００２】
本人であるかどうかを認証する方法として、指紋や虹彩、手や指の静脈など身体的特徴に基づいて認証する生体認証が一般的に行われるようになってきている。例えば、指紋による認証方法は、予め本人（被認証者）の指紋を指紋センサで読み取り、読み取った指紋画像をコンピュータに登録（記憶）しておく。そして、認証に当たっては登録時と同様に指紋を指紋センサで読み取り、先に登録した指紋画像と照合してその一致度合を比較し、一致度合が高ければ、同一人物（即ち、本人）と認証するものである。２つの指紋画像の照合における一致度合を算出する方法としては、パターンマッチング法やマニューシャ法等がしばしば用いられる（パターンマッチング法は登録した指紋画像と認証時に読み取った指紋画像とを直接照合する方法であり、マニューシャ法は指紋の隆線の端点や分岐点を抽出してそれらの相対的位置を特徴点情報として登録しておき、認証時に読み取った指紋画像に対しも同様に特徴点情報を抽出して登録した特徴点情報との照合を行う方法である）。
【０００３】
指紋の照合には、上記の２方法を主たるものとして他にも存在するが、それらすべての方式において最も重要なことは、指紋センサに指が正しく置かれることである。このことは当たり前のように聞こえるが、現実には殆どの人が生体情報読取手段である指紋センサを使用したことがないか少ないため、思いもよらぬ方法で指が指紋センサに置かれることがしばしばある。
【０００４】
例えば、指紋センサに指を置く場合に、図１０（ａ）に示すように指を突き立ててしまう人が多い（パーソナルコンピュータのキーボードのボタンを押すかのように突き立てている）。このように指紋センサに指を突き立ててしまうと、指紋センサから取得される指紋画像は、図１０（ｂ）に示すように指の先端の部分だけの指紋画像になる。
【０００５】
指紋の中心部の形状は人それぞれに大きく異なった形状を示すが、指の先端の部分（指先）の指紋は例外なくアーチ状か水平の形状となり差異が少なく、指先の指紋だけでの照合は誤照合の大きな原因となる。特にパターンマッチング法ではこの問題が顕著である。
【０００６】
また、指紋センサの扱い方を知らないため、恐る恐る触る人も多い。その結果、指紋センサと指の接触面積が小さくなり、図１０（ｃ）に示すような小さな面積の画像しか読み取れない場合がある。この場合は確かに他の人との差異のある中心部の画像は得られているが、絶対量が少ないため、特徴点の数が少なくなってしまう。この場合は、特にマニューシャ法で問題となる。
【０００７】
さらに、指を突き立てているのではないが、指が小さいなどの理由で、指紋センサ本体のガイドにあわせて指を置くと、図１０（ｄ）に示すように指紋中心が指紋センサから外れてしまう場合がある。この場合も指の突き立てと同様に指紋中心が読み込まれていないため、特にパターンマッチング法で誤照合が多く発生する。
【０００８】
これら問題を解決する方法として、読み取った指紋画像を画面に表示することが行われている。一般に人は指紋というものがどのような形状ものかを知っているので、指の先端しか表示されていなかったり、面積が小さかったり、中心が外れていれば、それを改めるように指の置き方を調整することができる。読み取られた指紋画像を画面に表示することは、指の指紋センサへの置き方に対する利用者への習熟の向上に大きく貢献している。
【０００９】
指紋画像の表示に関して、読み取った指紋画像に替えて指標画像を表示する提案がなされている。これは、読み取った指紋画像が不良であると判断した場合に、読み取った指紋画像とは異なる特定の画像を利用して読み取り不良部分を表した指標画像を生成し、表示するものである（例えば、特許文献１）。
【特許文献１】特開２００５−９９９０７号公報
【発明の開示】
【発明が解決しようとする課題】
【００１０】
上記に述べたように、生体認証として指紋を用いた認証装置においては読み取った読み取った指紋画像を利用者（認証装置においては被認証者ということになる）に対して表示することが行われている。これは、読み取られた指紋画像を表示することで指紋センサに置かれた指の状態を利用者に認識して貰うことにある。即ち、指が指紋センサに正しく置かれ正常に指紋の照合がなされた場合、また指が指紋センサに正しく置かれてなく（例えば、指紋センサから外れかかって置かれた場合等）指紋の照合ができない場合にも読み取った指紋画像を表示することで指の置き方を認識し習熟してもらうことにある。
【００１１】
このように、指紋画像を表示することは利用者の指紋認証装置に対する習熟を高める効果はあるが、一方で現在では殆どのコンピュータがネットワークに接続されており、画面に表示された指紋画像をコンピュータウイルス等を使って盗み取られ、それを不正使用される危険性がある。
【００１２】
特許文献１で提案された方法は表示する画像（指標画像）は読み取った指紋画像ではないので、本人の指紋画像が盗み取られる心配はない。
【００１３】
本発明は、特許文献１とは異なり利用者が入力した指紋画像を用いてその画像の一部を加工して表示し、表示画面から表示した指紋画像が盗み取られても悪用されることがない生体情報読取装置、生体情報読取方法および生体情報読取プログラムを提供することを目的とする。
【課題を解決するための手段】
【００１４】
本発明の生体情報読取装置、生体情報読取方法および生体情報読取プログラムは以下のように構成される。
（１）第１の発明
第１の発明は、読み取った生体情報を加工し、加工した生体情報を利用者に表示するものである。
【００１５】
その原理を図１を用いて説明する。第１の発明の生体情報読取装置は、図１に示すように生体情報読取手段１０、生体情報加工手段２０および生体情報表示手段３０で構成する。
【００１６】
生体情報読取手段１０は生体情報を読み取る手段で、例えば指紋や静脈等の生体情報をセンサ等を介して取得するものである。
【００１７】
生体情報加工手段２０は、生体情報読取手段１０で読み取った生体情報を加工することを行う。
【００１８】
生体情報表示手段３０は、生体情報加工手段２０で加工した生体情報を表示する。
【００１９】
生体情報に加工を施すことで生体情報は元の画像と別のものとなり、その画像を表示して盗み取られたとしても悪用されることがない。
（２）第２の発明
第２の発明は、第１の発明における読み取られた生体情報は指紋画像である、ことを特徴とするものである。
（３）第３の発明
第３の発明は、第２の発明における生体情報加工手段が、生体情報読取手段によって読み取られた指紋画像の指紋中心の位置に、該指紋画像の周辺部の一部の画像を上書きする、ことを特徴とするものである。指紋中心の位置の画像はパターンマッチング法にしてもマニューシャ法にしても最も特徴が顕著に表れる箇所であるが、その部分の画像が書き換えられるため、画像の盗取によって悪用されることはない。
（４）第４の発明
第４の発明は、第２の発明における生体情報加工手段が、生体情報読取手段によって読み取られた指紋画像の所定数の無作為の位置に、その無作為の位置以外の位置の指紋画像を上書きする、ことを特徴とする。即ち、ランダムに選ばれた位置に他の位置の部分指紋画像を上書きすることを行う。ランダムに選ばれた位置は所定数ある。
読み取られた指紋画像のランダムの位置の画像が書き換えられるため、表示した画像は本人の指紋画像に似ているがそのものではなくなる。
（５）第５の発明
第５の発明は、第２の発明における生体情報加工手段が生体情報読取手段によって読み取られた指紋画像をニアレスト・ネイバー法による縮小加工を行い、表示手段は縮小した指紋画像を表示する、ことを特徴とする。
【００２０】
ニアレスト・ネイバー法は、画像の拡大や縮小に用いられる補間方式の一つで補間される画素にもっとも近い画素の濃度値を採用する方法である。例えば、指紋の隆線を最も輝度が低い黒で表示するようにした場合に、指定した小領域（例えば、３×３の画素からなる領域）の画素の中からこの最も輝度の低い画素一つを選び、指定した小領域をこの一つの画素に代表させる。これにより、小領域が３×３の画素からなる領域で在る場合には１／３に縮小されることになる。
【００２１】
前述の例でニアレスト・ネイバー法により縮小した指紋画像は、隆線の癒着が発生し表示した画像は本人の指紋画像に似ているがそのものではなくなる。
（６）第６の発明
第６の発明は、第１の発明における生体情報読取方法である。
（７）第７の発明
第７の発明は、第１の発明における生体情報読取プログラムである。
【発明の効果】
【００２２】
上述のように本発明によれば、次に示す効果が得られる。
【００２３】
第１の発明により、利用者が入力した生体画像を用いながら一部が加工されて表示されるので、利用者に違和感なく自身が入力した指紋画像と感じ、正しい生体情報の読み取りに対する習熟度が高まる。同時に、その表示画像が盗まれても不正使用されることがない生体情報読取装置の提供ができる。
【００２４】
第２の発明により、生体画像が指紋画像であるため、利用者に正しい指紋センサへの指の置き方が行えるよう理解が得られ、利用者の指紋センサへの習熟が早まる。また表示画像が盗まれても不正使用されることがない生体情報読取装置の提供ができる。
【００２５】
第３の発明により、表示された指紋画像の指紋中心位置の画像が置き換えられているが類似しているため利用者にとって違和感がなく、その表示画像が盗まれても不正使用されることがない生体情報読取装置の提供ができる。
【００２６】
第４の発明により、表示された指紋画像のランダムの位置の画像が置き換えられているが類似しているため被認証者にとって違和感がなく、その表示画像が盗まれても不正使用されることがない生体情報読取装置の提供ができる。
【００２７】
第５の発明により、表示された指紋画像の縮小画像の隆線に癒着が生じ、その表示画像が盗まれても不正使用されることがない生体情報読取装置の提供ができる。
【００２８】
第６および第７の発明により、第１の発明と同様の効果が得られる生体情報読取方法および生体情報読取プログラムの提供ができる。
【発明を実施するための最良の形態】
【００２９】
（第１の実施形態）
生体情報読取装置の第１の実施形態を、図２から図７を用いて説明する。なお、本実施形態では（後述する第２の実施形態においても）生体情報として指紋を用い、生体情報読取装置（即ち、指紋読取装置）を生体認識装置に用いた例として説明する。
【００３０】
図２は、第１の実施形態における生体認証装置１００の構成を示すものである。生体認証装置１００は、プログラムやデータを制御する制御部１１０、利用者である被認証者に対して読み取った指紋画像等を表示するディスプレイ１３０、指紋画像を読み取る指紋センサ１４０、これらの入出力機器を制御する入出力制御部１２０、認証者の指紋画像パターン、または指紋画像から抽出した特徴情報を格納した登録指紋データベース１５０および主メモリ１６０上に展開した生体認証プログラム１７０から構成する。
【００３１】
生体認証プログラム１７０は、さらに指紋読取部１７１、照合部１７２、認証部１７３および指紋画像加工／表示部１７４から構成する。これらの概要について次に述べる。
【００３２】
指紋読取部１７１は、指紋センサ１４０に置かれた指の指紋を指紋画像として読み取り（例えば、５００ｄｐｉの解像度で指紋画像を読み取る）、読み取った指紋画像は照合用と表示用との二つに分け、主メモリに設けた作業エリアに格納しておく。
【００３３】
照合部１７２は、照合用の指紋画像に対し登録指紋データベース１５０に登録してある指紋画像を順次照合して一致度を求める（パターンマンチング法では読み取った指紋画像と登録してある指紋画像の指紋パターンの照合を行うが、マニューシャ法では、読み取った指紋画像から特徴点の情報を抽出し、登録指紋データベースも特徴点情報を登録しておき、これらを照合することになる）。
【００３４】
認証部１７３は、照合部１７２とともに作動し、照合部１７２で求めた一致度が予め設定した値以上となった場合に本人であると認証し、認証されたことのメッセージをディスプレイ１３０に表示する（表示した以降、通常は次のアプリケーションのシーケンスに進むことになるが、本発明とは関係しないのでここでは認証することまでに留めておく）。一致度が設定した値より小さい場合は照合部１７２に戻る。読み取った指紋画像が登録指紋データベースになければ、非認証と判断して認証されないことのメッセージをディスプレイ１３０に表示する。
【００３５】
指紋画像加工／表示部１７４は、表示用の指紋画像に加工を施してディスプレイ１３０に表示する。認証部１７３で認証された場合、および認証されない場合のメッセージの表示とともに加工した指紋画像を表示する。
【００３６】
次に、生体認証装置１００の処理フロー例を図３と図４を用いて説明する。
【００３７】
図３は、生体認証装置１００全体の処理フローを示し、ここでは指紋画像の照合をパターンマッチング法で行っている。
【００３８】
まずステップ１０（以降Ｓ１０の記号で示す）において指紋センサから生体情報である指紋画像を読み取る。即ち、指紋センサに被認証者が指を押し当てたものを画像として読み取る。
【００３９】
Ｓ２０に進み、読み取った指紋画像を照合用の指紋画像と表示用の指紋画像の二つに分け、主メモリ１６０に格納しておく。
【００４０】
続いて、Ｓ３０において表示用の指紋画像を用いて「指紋加工ルーチン」により指紋画像の加工を行う（詳細は後述する）。
【００４１】
次に、Ｓ４０に進み、登録指紋データベース１５０から順次登録している登録指紋画像を取り出し、先の照合用の指紋画像との照合を行い一致度を求める（Ｓ５０）。
【００４２】
Ｓ６０で一致度が予め設定した値以上であればディスプレイ１３０に「認証されました」のメッセージに加え、指紋画像加工ルーチンで加工した指紋画像を表示して認証を終了する。Ｓ６０で一致度が予め設定した値より小さい場合は、Ｓ４０に戻って登録指紋データベースから次に登録してある指紋画像を取り出し照合を行って一致度を求める処理を行う。登録指紋データベースに登録されている指紋画像を全て照合しても一致度が設定値以上のものが得られなければ、ディスプレイ１３０に「指紋が一致しません」のメッセージと指紋画像加工ルーチンで加工した指紋画像を表示して認証を終了する。
【００４３】
以上述べた処理フローと図２に示した生体認証プログラム１７０との対応は、Ｓ１０が指紋読取部１７１に、Ｓ３０が指紋画像加工／表示部１７４の加工処理、Ｓ４０とＳ５０が照合部１７２、Ｓ６０〜Ｓ８０が認証部１７３と指紋画像加工／表示部１７４の表示処理に相当する。
【００４４】
次に、Ｓ３０における指紋画像加工ルーチンについて図４を用いて説明する。第１の実施形態での指紋画像の加工は、指紋中心の位置に他の位置の部分画像を書き換えた後に、さらに指紋画像のランダムに選んだ位置に他の位置の部分画像を書き換える加工を行う。図５のＳ２１０からＳ２３０で指紋中心に周辺部の部分画像に置き換えることを行い、Ｓ２４０からＳ２７０でランダムに選んだ位置に他の箇所から選んだ部分画像に置き換えることを行っている。
【００４５】
まず、図５のＳ２００において、先のＳ２０（図３）で主メモリ１６０に格納された表示用の指紋画像に対し、指紋領域を求め、続いて指紋中心を求めることを行う。指紋領域を求める方法は、図５（ａ）に示すように画像の両端から指紋画像をスキャンして隆線を見つけ、その隆線を見つけたラインを結んだ領域が、指紋の写っている領域となる。そして指紋中心の検出は、その指紋領域の中で隆線方向に着目する（指紋中心を求める方法は幾つか提案されているがここでは隆線方向に着目した方法で行う。この他に例えば、特開平３−１９６２７５などの提案がある）。図５（ｂ）に示すように、指紋の隆線の方向は矢印で表したものとなるが、図の丸で囲んだ領域は明らかに他の領域と比較して隆線方向の変動が激しい。具体的には、隆線方向が縦方向から急激に横方向に変化し、また縦方法に変化するといったものである。ここを指紋中心と捉える。
【００４６】
Ｓ２１０に進み、指紋画像に対して６０ピクセル角となるようにメッシュに切る。このとき、先に求めた指紋中心を含む６０ピクセル角に切られたメッシュは、そのメッシュの中心と指紋中心とを一致させるようにしてメッシュが切られるようにしておく。
【００４７】
Ｓ２２０において、指紋中心から１００ピクセル離れた位置にある任意の一つのメッシュの部分画像（６０ピクセル角の部分画像）を取得する。任意の一つのメッシュを選ぶ方法は、例えば指紋中心から１００ピクセル離れた同心円の位置にあるピクセルを全て抽出して一列に並べ、乱数を発生してその乱数に該当する順番のメッシュを選べは良い。
【００４８】
Ｓ２３０で、取得した部分画像を指紋中心のメッシュの領域に上書きする。これにより、指紋中心から１００ピクセル離れた周辺部の部分画像が、指紋中心の領域に書き換えられたことになる（実際の指においては3mm角程度が書き換えられたことになる）。
【００４９】
次に指紋画像のランダムに選んだ位置に他の位置の部分画像を置き換えることを行う。Ｓ２４０において、先に６０ピクセル角に切ったメッシュをリセットし、１０ピクセル角のメッシュに切る。
【００５０】
Ｓ２５０において、Ｓ２１０と同様に指紋中心から１００ピクセル離れた位置にある任意の一つのメッシュの部分画像（１０ピクセル角の部分画像）を取得する。
【００５１】
次にＳ２６０において、指紋画像全体に対してメッシュの２０箇所のメッシュ位置をランダム選択する。この時、指紋中心の６０ピクセル角の領域のメッシュは除くものとする。
【００５２】
先に取得した部分画像を選択した２０箇所の位置のメッシュに上書きする（Ｓ２７０）。これによりランダムに選んだ２０箇所の位置に１０ピクセル角の画像（実際の指では０．５mm角程度）が書き換えられたことになる。
【００５３】
図６は、６０ピクセル角の指紋中心に周辺部の部分画像を置き換える様子を図示したもので、図６（ａ）は読み取った指紋画像と６０ピクセル角の部分画像を切り出す位置を示し、図６（ｂ）は切り出した部分画像、そして図６（ｃ）は指紋中心に部分画像を上書きした状態を示している。
【００５４】
図７は、指紋画像のランダムの位置に１０ピクセル角の指紋の部分画像を書き換える様子を示している。図７（ａ）は、読み取った指紋画像と１０ピクセル角の部分画像を切り出す位置を示し、図７（ｂ）は切り出した部分画像、そして図７（ｃ）は指紋画像のランダムの位置に部分画像を上書きした状態を示している。図７では、ランダムの位置に上書きすることのみを説明するため、指紋中心が部分画像に書き換えられた後にランダム位置を部分画像に書き換えるようにはなっていない。
【００５５】
第１の実施例において、指紋画像の周辺部の画像を切り取る位置を指紋中心から１００ピクセル離れた位置としたが、８０ピクセルでも１２０ピクセルであってもその数値に拘わっておらず、要は指紋画像の任意の位置の部分画像が取り込めればよい。
（第２の実施形態）
第２の実施形態は、読み取った指紋画像を縮小して表示することを行う。図２の生体認証装置の構成例および図３の生体認証装置の処理フロー例は第１の実施形態と同一であるので、指紋画像加工ルーチンの処理フローについて説明する。
【００５６】
図８は縮小する場合の指紋画像加工ルーチンの処理フローを示すもので、Ｓ３００において先のＳ２０（図３）でメモリに格納された表示用の指紋画像に対し、３ピクセル角となるようにメッシュに切る。
【００５７】
続いて、Ｓ３１０で主メモリ１６０にこの３ピクセル角のそれぞれのメッシュが１ピクセルに対応する縮小画像用の記憶領域を確保する。
【００５８】
一つのメッシュ（３ピクセル角）の画像を取り出し（Ｓ３２０）、その画像を構成する９個のピクセルの中から最も輝度が低いピクセルを求める（Ｓ３３０）。
【００５９】
Ｓ３４０で指紋画像を取り出したメッシュの位置に対応する縮小画像用の記憶領域の位置のピクセルを求めた輝度に合わせる（設定する）。
【００６０】
Ｓ３２０からＳ３４０の処理を全てのメッシュに対して実施すると、縮小画像用の記憶領域には１／３に縮小された縮小画像が作成されることになる。
【００６１】
図９は縮小画像作成の様子を図で示すもので、図９（ａ）はメモリに格納した指紋画像を３ピクセル角のメッシュに切った状態を示している。図９（ｂ）は一つのメッシュを構成するピクセルを示し、９個あるピクセルの中から最も輝度の低い（即ち、濃度の高い）ピクセルを抽出する。図９（ｃ）は、縮小画像用の記憶領域のメッシュ位置に対応する位置の１ピクセルを抽出した輝度に合わせ、これを全てのメッシュに対して行ったときに作成された縮小画像である。図９（ｄ）は、図９（ｃ）を拡大したもので、指紋の隆線に癒着が起きていることが分かる。
【００６２】
以上、指紋画像を例に画像の加工法が異なる場合についての生体認証装置に用いた本発明の生体情報読取装置の具体的な実施形態の例を示した。
【００６３】
一般に指紋の識別を行う部分は、パターンマッチング方式、マニューシャ方式等いくつかあるが、結局は次の２つの要素を重視している。
【００６４】
（１）指紋の中心部分
（２）指紋全体の隆線の端点・分岐点
従って、図６（ａ）の指紋画像から、図６（ｂ）に示すように周辺部の画像の一部を切り出し、それを図６（ｃ）のように中心部に複写し、この指紋画像を表示しても指紋画像として違和感がなく、またその画像を盗み取られても中心部の情報が欠落しているので悪用されることはない。なお切り出す画像の領域は、実際の指において大凡３mm角程度の広さが指紋の中心を覆い隠し、且つ違和感を与えないものとして丁度よい。
【００６５】
また、図７（ａ）に示す指紋画像から、図７（ｂ）のように小さな画像の領域を取り出し、それを図７（ｃ）のように、ランダムに選んだ十数箇所から数十箇所（図７（ｃ）では、説明しやすさのため十箇所程度にしている）の位置の画像に対して他の周辺の画像を上書きすると、元の指紋画像（図７（ａ））には無かった特徴点である分岐点、端点が作成される。従って、この加工された図７（ｃ）の指紋画像を盗まれても、新たな特徴点が作成されているため悪用することができない。なお、この説明では切り出した部分画像は１個所から行うこととしたが、複数個所から切り出してそれらを上書きするようにしてもよい。そのようにすれば、さらに特徴点等の一致度は低くなることが考えられる。また、取り出す小領域の大きさは、隆線と谷線の一般的な太さを足した、０．５ｍｍ角程度（１０ピクセル角程度）がよい。
【００６６】
また、指紋画像の加工法として指紋画像を縮小する方法を説明し、第２の実施例では１／３に縮小することとして取得した指紋画像を３ピクセル角のメッシュに切り、図９（ａ）から図９（ｃ）に示す縮小画像を作成する例を示した。この縦横とも３分の１程度の縮小ならば、隆線の流れが十分に見て取れるため、指の突き立ての問題、接触面積不足や位置ズレなどを十分確認することができる。また、この縮小画像を拡大した図（図９（ｃ））を見ても隆線が完全に癒着しているので、もはや指紋の認証には使えない。
【００６７】
縮小画像を作成する上で重要は、隆線を表す最も濃いピクセル（輝度のもっとも低いピクセル）を選ぶことと、縮小する程度は２分の１から３分の１とすることである。最も濃い画素を選ばずに、例えば全体の画素の平均値などを選ぶと、縮小画像で隆線の癒着が発生せずに元の指紋画像に戻せる可能性がある。また、縮小率を２分の１より大きくすると隆線の癒着が発生しない可能性があり問題である。逆に、縮小率を３分の１より小さくすると、縮小画像にモアレが発生して隆線の方向が分からなくなる。この場合、指の置き方の問題を被認証者に伝えることが難しくなる。
【００６８】
本発明では、被認証者から読み取った指紋画像を用い、その画像の一部を加工しているため一見しただけでは加工してあるかどうかは分からない。しかし、指紋の大凡の隆線は判別できるため、指の突き立てによって指先しか写っていない状態や、指の置き方がずれていて指紋中心が写っていない状態、あるいは指の押し付けが弱く指紋の写っている領域が狭い、などの問題を非認証者に伝えることができる。
【００６９】
なお、本発明では指紋を元に説明したが、静脈を用いて照合を行う静脈生体認証においても全て適用可能である。また、虹彩認証に関しては、中心が存在しないので、その方法は適用できないが、虹彩の一部を他の部分に上書きして偽の特徴点を生成することや表示画像を縮小して盗みとられても問題が発生しないようにすることは可能である。
【００７０】
以上の実施例に関し、さらに以下の付記を開示する。
（付記１）
生体情報を読み取る生体情報読取手段と、
前記生体情報読取手段で読み取った生体情報を加工する生体情報加工手段と、
前記加工された生体情報を表示する生体情報表示手段と
を備えることを特徴とする生体情報読取装置。
（付記２）
前記読み取られた生体情報は指紋画像である
ことを特徴とする付記１項記載の生体情報読取装置。
（付記３）
前記生体情報加工手段は、前記生体情報読取手段によって読み取られた指紋画像の指紋中心の位置に、該指紋画像の周辺部の一部の画像を上書きする
ことを特徴とする付記２項記載の生体情報読取装置。
（付記４）
前記生体情報加工手段は、前記生体情報読取手段によって読み取られた指紋画像の所定数の無作為の位置に、該指紋画像の該所定数の無作為の位置以外の位置の指紋画像を上書きする
ことを特徴とする付記２項記載の生体情報読取装置。
（付記５）
前記生体情報加工手段は、前記生体情報読取手段によって読み取られた指紋画像をニアレスト・ネイバー法により縮小し、
前記表示手段は前記縮小された指紋画像を表示する
ことを特徴とする付記２記載の生体情報読取装置。
（付記６）
生体情報を読み取る生体情報読取手順と、
前記生体情報読取手順で読み取った生体情報を加工する生体情報加工手順と、
前記加工された生体情報を表示する生体情報表示手順と
を備えることを特徴とする生体情報読取方法。
（付記７）
生体情報読取装置のコンピュータに、
生体情報を読み取る生体情報読取手順と、
前記生体情報読取手順で読み取った生体情報を加工する生体情報加工手順と、
前記加工された生体情報を表示する生体情報表示手順と
を実行させるための生体情報読取プログラム。
（付記８）
付記３における読み取られた指紋画像の指紋中心部に上書き複写する指紋画像は、実寸の指の大凡３ｍｍ角とする
ことを特徴とする付記３記載の生体情報読取装置。
（付記９）
付記４における読み取られた指紋画像の所定数の無作為の位置は十箇所以上とし、上書き複写する画像は実寸の指の大凡０．５ｍｍ角とする
ことを特徴とする付記４記載の生体情報読取装置。
（付記１０）
付記５における縮小の大きさは、横幅、縦幅とも2分の1から3分の1とする
ことを特徴とする付記５記載の生体情報読取装置。
（付記１１）
付記１記載の生体情報読取装置を搭載した
ことを特徴とした生体認証装置。
【図面の簡単な説明】
【００７１】
【図１】発明の原理図である。
【図２】生体認証装置の構成例である。
【図３】生体認証装置の処理フロー例である。
【図４】指紋画像加工ルーチンの処理フロー例（その１）である。
【図５】指紋画像から指紋領域と指紋中心を求める例である。
【図６】指紋画像の加工例（その１）である。
【図７】指紋画像の加工例（その２）である。
【図８】指紋画像加工ルーチンの処理フロー例（その２）ある。
【図９】指紋画像の加工例（その３）ある。
【図１０】指紋の読み取りと指紋画像例である。
【符号の説明】
【００７２】
１０    生体情報読取手段
２０    生体情報加工手段
３０    生体情報表示手段
１００  生体認証装置
１１０  制御部
１２０  入出力制御部
１３０  ディスプレイ
１４０  指紋センサ
１５０  登録指紋データベース
１６０  主メモリ
１７０  生体認証プログラム
１７１  指紋読取部
１７２  照合部
１７３  認証部
１７４  指紋画像加工／表示部
【図１】
2008046677.tif 000003
【図２】
2008046677.tif 000004
【図３】
2008046677.tif 000005
【図４】
2008046677.tif 000006
【図５】
2008046677.tif 000007
【図６】
2008046677.tif 000008
【図７】
2008046677.tif 000009
【図８】
2008046677.tif 000010
【図９】
2008046677.tif 000011
【図１０】
2008046677.tif 000012